(57)【要約】【課題】  空気調和機の冷房運転時に発生するドレン水を流すドレン排水管が詰まらないようにし、清掃が容易で、必要に応じて水封を確保することができ、かつ構造も極めて簡単なドレン水封装置を提供する。【解決手段】  空気調和機４０内のドレン水がドレン排水管１２を通じて排出され、該ドレン水を含む水により水封がなされ、該ドレン排水管１２内を水封によって大気中から遮断するドレン水封装置１０において、直管であるドレン排水管１２の開口端を水没させて大気中から遮断して水封処理をする水封槽１１と、該水封槽１１のドレン水を外部へ導く排水路１３と、上記水封槽１１の水封の水位低下を防止するためのボールタップバルブ１５による自動給水手段を設け、上記自動給水手段による給水は上記ドレン排水管１２内をブロー通水させてから上記水封槽１１内に供給させる。【選択図】  図１
2005283008.tif 000002
【特許請求の範囲】
【請求項１】
空気調和機内のドレン水がドレン排水管を通じて排出され、該ドレン水を含む水により水封がなされ、該ドレン排水管内を水封によって大気中から遮断するドレン水封装置において、上記ドレン排水管は直管とされ、その開口端を水没させて大気中から遮断する水封処理がなされる水封槽と、該水封槽の側壁に設けられ、ドレン水を外部へ導く排水路と、上記水封槽の水封の水位低下を防止するためのボールタップバルブによる自動給水手段とを備え、上記自動給水手段による給水は上記ドレン排水管内をブロー通水されて上記水封槽内に供給されることを特徴とするドレン水封装置。
【請求項２】
上記自動給水手段による給水は殺菌された水とされている請求項１に記載のドレン水封装置。
【請求項３】
上記ドレン水封槽の底面が下凸形状とされ、その底部に排出弁が備えられ、上記自動給水手段と連動して排出弁を作動させて、上記ドレン水封槽内の堆積物が排出される請求項１に記載のドレン水封装置。
【発明の詳細な説明】
【技術分野】
【０００１】
水封装置に関し、特に、空気調和機内のドレン水を排水するドレン水封装置に関する。
【背景技術】
【０００２】
一般に、工場やビル、地下街などには空気調和機が設置され、空気の清浄化、温湿度の管理がなされている。空気調和機の内部には、エアフィルタと熱交換器（冷却コイル）と送風機（ファン）が設けられており、流体である空気の移動効率を考慮して、図４に示すように、空気の流れ方向に沿ってエアフィルタ４１、熱交換器４２、送風機４３がこの順に設けられている。このような空気調和機４０では、送風ダクト４４を介して空気調和機４０内に流れ込んだ空気がエアフィルタ４１で清浄にされた後、熱交換器４２で冷却または加熱され、さらに送風機４３によって送風ダクト４５に送り出されるようになっている。
【０００３】
冷房運転を行なっている空気調和機４０では、熱交換器４２の外周部分で空気中の水蒸気が冷却されて結露する。この結露により発生したドレン水（結露水ともいう。）は、空気調和機４０の熱交換器４２の下側に設けた皿状のドレンパン４６で受けられるようになっている。
【０００４】
通常、ドレンパン４６にドレン排水管４７が接続されており、ドレンパン４６内にある程度溜まったドレン水が、自然流下してドレン排水管４７により屋外に排出できるようになっている。
【０００５】
ところが、図４に示すように送風機４３が熱交換器４２よりも下流側に設けられていると、運転時に空気調和機４０内が負圧になり、熱交換機４２の下方のドレンパン４６に取り付けられたドレン排水管４７を介して、外部の汚れた空気やゴミ等が空気調和機４０内に侵入してくる欠点がある。また、ドレン排水管４７より逆流した空気がドレンパン４６のドレン水を巻き上げて、ドレン水が飛散し、その結果、ドレン水が送風機４３に吸入されることがある。
【０００６】
そこで、対策としてドレン排水管４７の途中に、図５に示すようなＵ字状の水封トラップ５０を設け、また、空気調和機内の負圧よりも水封トラップ５０内に溜まるドレン水の自重が大きくなるように水封深Ｈを設定することよって、上記欠点を解消するようにしたものが知られている。そして、Ｕ字状部のドレン水は、一定以上溜まるとオーバーフローの形で水封トラップ５０の出口に接続されたドレン排水管を通して排出されるようにしている。
【０００７】
また、ドレンパンにＵ字状の水封トラップを取り付けるとともに、上下方向に移動自在なボールを有するボール式チェック弁を水封トラップの先端に設け、かつ水封トラップとボール式チェック弁を２次水槽内に収納した構成の水封トラップも提案されている。この構成の水封トラップでは、ボールが上下移動することにより、空気調和機の冷房運転時にドレン水を排出することができ、さらに暖房運転時には水封トラップ内にドレン水が滞留して外部の汚れた空気やゴミ等が機内に侵入するのを防ぐことができる。
【０００８】
しかし、このようなドレン排水管に水封トラップを設けたものは、空気調和機からのドレン水が少量であったり、空気調和機を長期間停止させておいた場合、水封トラップ内に古い水が滞留したままになり、ゴミが溜まったり、細菌が発生して腐ってゲル状となりドレン排水管が詰まることがある。このようにドレン排水管が詰まるとドレン水が逆流したり、ドレン排水管内を清掃することが困難となり、清掃するためにドレン排水管を分解するなど非常に手間がかかっていた。さらに、暖房シーズン中にはドレン水が蒸発してしまい、水封トラップ本来の機能が失われてしまうという問題が生じていた。
【０００９】
また、水封トラップに加えてボール式チェック弁等を設けたものは、機構が複雑化するとともに、同様に水封トラップ内に細菌が発生して水封トラップ内が詰まった場合、清掃がさらに困難であるという問題を有していた。
【００１０】
【特許文献１】特許公開２００２−１７４３９８号公報
【特許文献２】特許公開平１０−３００１１７号公報
【発明の開示】
【発明が解決しようとする課題】
【００１１】
本発明は、上記した課題を解決するためになされたもので、その目的は、ドレン排水管が詰まらないようにするとともに必要に応じて水封を確保することができ、清掃が容易で構造も極めて簡単なドレン水封装置を提供することである。
【課題を解決するための手段】
【００１２】
上記目的を達成するため、本発明のドレン水封装置は、  空気調和機内のドレン水がドレン排水管を通じて排出され、該ドレン水を含む水により水封がなされ、該ドレン排水管内を水封によって大気中から遮断するドレン水封装置において、上記ドレン排水管は直管とされ、その開口端を水没させて大気中から遮断する水封処理がなされる水封槽と、該水封槽の側壁に設けられ、ドレン水を外部へ導く排水路と、上記水封槽の水封の水位低下を防止するためのボールタップバルブによる自動給水手段とを備え、上記自動給水手段による給水は上記ドレン排水管内をブロー通水されて上記水封槽内に供給されることを特徴とする。
【００１３】
また、上記自動給水手段による給水が殺菌された水とされることが好ましい。ドレン排水管内の清掃に寄与することになる。
【００１４】
さらに、上記ドレン水封槽の底面が下凸形状とされ、その底部に排出弁が備えられ、上記自動給水手段と連動して上記排出弁を作動させて、上記ドレン水封槽内の堆積物が排出されることが好ましい。水封槽の底面にごみや塵などの異物が堆積した場合、ドレン排水管の開口端が異物で塞がるのを回避することができる。
【発明の効果】
【００１５】
水が貯めてあるドレン水封槽にドレン排水管の開口端を水没させることにより、ドレン排水管の途中にＵ字状の水封トラップを設ける必要がなく、ドレン排水管を直管で用いることができるので、ドレン排水管を詰まらないようにすることができる。また、簡単な構造のドレン水封装置とすることで清掃が容易となる。さらに、ボールタップバルブによる自動給水手段を設けることにより、必要に応じて水封を確保することが出来きるとともにドレン排水管内の清掃にも寄与できる。
【００１６】
例えば、除湿が必要でなくドレン水が少ない場合や空気が乾燥していて水封槽の水が蒸発して水位が低下する場合においても水位を元にもどし水封を確保することが容易である。
【発明を実施するための最良の形態】
【００１７】
以下に、本発明を適用可能な実施の形態が説明される。以下の説明は、本発明の実施形
態を説明するものであり、本発明は以下の実施形態に限定されるものではない。説明の明
確化のため、以下の記載は、適宜、省略及び簡略化がなされている。尚、各図において同一の符号を付されたものは同様の要素を示しており、適宜、説明が省略される。
【００１８】
本実施の形態に係るドレン水封装置について図１を用いて説明する。図１は本実施の形態にかかるドレン水封装置の構成を示す断面図である。
【００１９】
ドレン水封装置１０はドレン水封槽１１、ドレン排水管１２、排水路１３、蓋１４、自動給水手段であるポールタップバルブ１５、排水弁１９により構成される。
【００２０】
ドレン水封槽１１の外形形状は、構造が簡易な円筒形または方形の桝形状が好ましい。空気調和機のドレンバンに接続されたドレン排水管１２の開口端１２ａをドレン水封槽１１内に引き入れ、ドレン水封槽１１に滞留するドレン水を含む水に水没させることにより水封が確保される。
【００２１】
ドレン水封槽１１の必要サイズは、ドレン水の量により異なるが、方形桝形状の場合、縦３００、横３００、高さ３００ｍｍ程度の大きさがあればよい。例えば、大型の空気調和機のドレン水量は、最大で２０リットル／ｈあり、小型の空気調和機では、２〜３リットル／ｈ程度である。
【００２２】
ドレン水封槽１１の材質は、塩化ビニール材、FRP（Fiber Reinforced Plastics）などを用いることができる。
【００２３】
バイパス排水路１３はドレン水封槽１１の側壁に設けられ、その位置は図１に示すように、ドレン排水管１２の開口端１２ａから上方側でドレン水の水封深Ｈを確保できる位置であれば良い。バイパス排水路１３の形状は、清掃をし易くすることから開放型の溝、もしくは桶状が好ましい。管路長さが数メートル程度で、ある程度の傾斜と配管口径を有する直管である場合は、筒形状のものを用いることができる。
【００２４】
ボールタップバルブ１５は、ドレン水封槽内１１のドレン水の水位が低下した場合、自動給水できるようにしたもので、主にフロート１６および止水弁１７により構成され、給水管に取付けられている。フロート１６はドレン水封槽１１内の貯水に浮くように配設され、フロート１６の浮き位置により、フロート１６と連結する止水弁の開閉度が自動的に調整され、給水管による給水量が調整される。
【００２５】
したがって、ドレン水封槽１１内の水封の水位が低下し、水封深Ｈが保てなくなると自動的に止水栓１７が開いて給水し、水位が上昇すると自動的に止水栓１７が閉まるようにすることができる。
【００２６】
また、給水管１８からの給水はドレン排水管内をブロー通水するようにする。一例として、図２および図３に示すように給水管１８の給水口１８ａを空気調和機内まで伸し、ドレインパン４６とドレイン排水管１２の接続部よりドレイン排水管１２内に引き入れる。このとき、給水管１８の給水口１８ａは空調機の負圧の影響を受けない距離分（１０ｃｍ程度）立ち下げた位置で排水方向を向くように設置することが好ましい。給水口より給水した水が逆流して飛散するのを防止できるからである。
【００２７】
さらに自動給水手段による給水として殺菌された水を用い、ドレン排水管にブロー通水することにより、ドレン排水管内を清掃するとともに、ドレン水封槽内に給水することが可能になる。
【００２８】
ドレン排水管内のブロー通水は、ドレン水封装置に設けたボールタップバルブの作動により、ボールタップバルブが取付けられた給水管からの供給水により行われるが、別の給水管にボールタップバルブの動きに連動して開閉する電磁弁を設け、一定量の殺菌された水を別の給水管よってドレン排水管内をブロー通水するようにしても良い。ボールタップバルブが取付けられた給水管からの供給水量が少量であっても、ブロー通水に必要な一定量の水をドレン排水管内に通水することができる。
【００２９】
また、ドレン水封槽１１は、その底面を傾斜のついた下凸形状とし、その底部に排出弁１９が備える。排出弁１９はボールタップバルブ１５に連動して開閉するようにする。
【００３０】
ドレン水封槽１１内の水封の貯水に滞留した淀みがあると、生菌の発生により水が腐りゲル状となったり異物などが堆積することがある。そのため、ドレン水封槽１１の底面を傾斜のついた下凸形状とし、その底部に異物などの堆積物が溜まりやすくする。そして、ドレン水封槽１１の底部に設けた排出弁１９を自動給水手段であるボールタップバルブ１５と連動して開閉させることでドレン水封槽内の堆積物を排出することができるとともに水封に必要な水を給水することが可能である。
【００３１】
上記のようなドレン水封装置を用いることにより、ドレン配水管が詰まることを防止でき、ドレン水封装置内を清掃の手間を省くことができる。また、簡単な構造のドレン水封装置とすることで定期清掃が容易となる。さらに、ドレン水が少ない場合や空気が乾燥していて水封槽の水が蒸発して水位が低下する場合においても必要に応じて水封を確保することが出来き、水封機能を損なうことがない。
【図面の簡単な説明】
【００３２】
【図１】本発明の実施にかかるドレン水封装置の模式的断面図である。
【図２】図１に示すドレン水封装置を空気調和機と接続させた概略図
【図３】図１に示すドレン水封装置の給水手段の一例を示した模式的断面図である。
【図４】空気調和機の内部構成を示した図である。
【図５】従来技術を示した図である。
【符号の説明】
【００３３】
１０  ドレン水封装置、１１  ドレン水封槽、１２  ドレン排水管、１３  排水路、
１４  蓋、１５ボールタップバルブ、１８  給水管、１９  排水弁、
４０  空気調和機、４１  エアフィルタ、４２  熱交換器、４３送風機、
４４  送風ダクト、４６  ドレンパン、５０  水封トラップ
【図１】
2005283008.tif 000003
【図２】
2005283008.tif 000004
【図３】
2005283008.tif 000005
【図４】
2005283008.tif 000006
【図５】
2005283008.tif 000007